(57)【要約】  本発明は、管状蓄電池を組み立てるためのモジュールに関する。モジュールは、並列構成の蓄電池群を受け入れ、かつ保持するための開口部の配列を有する絶縁材料からなる支持要素を含む。導電材料からなるフィルムは、支持要素の表面上に延在する。フィルムは、蓄電池のそれぞれの端子に半田付けされ、蓄電池との電気接触面を形成する。同様の組立てられた複数のモジュールが、モジュールの隣接する支持要素間での相補固定要素の配列を用いて直列に配列される。
2019506714.tif 000002
【特許請求の範囲】
【請求項１】
管状蓄電池用の組立モジュールであって、
並列構成の管状蓄電池群の両端部を受け入れ、かつ保持するための開口部のそれぞれの配列を有する、絶縁材料で作られている第１および第２の支持要素であって、前記蓄電池の前記端部が延在するそれぞれの表面を有する、第１および第２の支持要素と、
それぞれが前記第１および第２の支持要素の前記表面に接触して延在する導電材料の第１および第２のシートであって、前記蓄電池の前記端部のうちの対応する１つに溶接され、前記蓄電池との電気接触面を形成する、導電材料の第１および第２のシートと、
管状蓄電池用の組立モジュールの前記シートのうちの１つと接触して配置される管状蓄電池用の同様の組立モジュールの支持要素の相補固定配列を有する前記第１および第２の支持要素の固定要素の配列と
を含む、組立モジュール。
【請求項２】
前記固定配列のうちの１つが、前記第１の支持要素の導電材料の前記シートの穴と合致するように前記第１の支持要素上に取り付けられたナットの組を含み、前記固定配列のうちの別のものが、前記ナットに適応させた、前記第２の支持要素の導電材料の前記シートの穴を通じて突出するねじの組を含み、前記ナットの組と前記ねじの組が、前記組立モジュールと端部同士をつなげて組み立てられる同様の組立モジュールのナットの組とねじの組と連携する、請求項１に記載の組立モジュール。
【請求項３】
前記第１の支持要素の前記表面が、前記ナットを受け入れ、かつ押し込むための前記蓄電池の前記端部間に分配されたハウジングを含み、前記第２の支持要素が、対応する前記ナットへの前記ねじのねじ止めを可能にするために、前記ねじと位置合わせされた穴を含む、請求項２に記載の組立モジュール。
【請求項４】
前記ねじと位置合わせされた前記穴が、前記ねじの通過を防ぐショルダを有する、請求項３に記載の組立モジュール。
【請求項５】
前記支持要素の前記表面が、前記蓄電池の前記端部間に延在する凹部を含む組立モジュールであって、前記支持要素と導電材料の前記対応するシートとの間の前記凹部に挿入される剛性材料で作られているプレートをさらに含む、請求項１に記載の組立モジュール。
【請求項６】
導電材料の前記シートが、前記支持要素の側面に突出するタブを有する、請求項１に記載の組立モジュール。
【請求項７】
前記蓄電池が円筒状であり、前記支持要素の前記開口部が円状である、請求項１に記載の組立モジュール。
【請求項８】
前記支持要素が、長方形の形状を有し、前記支持要素の前記開口部が、均一かつ対称的に分配される、請求項１に記載の組立モジュール。
【請求項９】
管状蓄電池を組み立てるためのプロセスであって、
直列に結合される組立モジュールにおいて並列の蓄電池群の形状で前記管状蓄電池を取り付けるステップであって、前記組立モジュールの各々が、
並列構成の管状蓄電池群の両端部を受け入れ、かつ保持するための開口部のそれぞれの配列を有する、絶縁材料で作られている第１および第２の支持要素であって、前記蓄電池の前記端部が延在するそれぞれの表面を有する、第１および第２の支持要素と、
それぞれが前記第１および第２の支持要素の前記表面に接触して延在する導電材料の第１および第２のシートであって、前記蓄電池の前記端部のうちの対応する１つに溶接され、前記蓄電池との電気接触面を形成する、導電材料の第１および第２のシートと、
管状蓄電池用の前記組立モジュールの前記シートのうちの１つと接触して配置される管状蓄電池用の同様の組立モジュールの支持要素の相補固定配列を有する前記第１および第２の支持要素の固定要素の配列と
を含む、ステップと、
前記組立モジュール間の導電材料の前記シートが互いに接触するように、前記組立モジュールを直列に配置するステップと、
前記組立モジュールの固定要素の前記配列によって前記組立モジュールを互いに固定するステップと
を含む、プロセス。
【発明の詳細な説明】
【技術分野】
【０００１】
本発明は、概して、蓄電池の組み立てに関し、より具体的には、管状蓄電池を組み立てるためのモジュールおよびプロセスに関する。
【背景技術】
【０００２】
様々な用途では、電気車両（例えば、バス）の事例のように、並列および直列に配列される多数の蓄電池を組み立てることを必要とする。蓄電池の電気配線抵抗は最小であることが望ましい。また、蓄電池の組み立ては、例えば、欠陥を呈する恐れのある蓄電池群を都合よく交換できるようにすることも望ましい。また、蓄電池の熱膨張、振動の事例における接点の強度および重量などの他の態様も考慮される。
【発明の概要】
【発明が解決しようとする課題】
【０００３】
本発明の目的は、管状蓄電池（例えば、円筒状蓄電池）を組み立て、蓄電池の電気配線抵抗を最小化するためのモジュールおよびプロセスを提供することであり、同モジュールおよびプロセスは、有利には、電気車両の事例のような用途に適している。
【課題を解決するための手段】
【０００４】
本発明の態様によれば、管状蓄電池用の組立モジュールであって、
並列構成の管状蓄電池群の両端部を受け入れ、かつ保持するための開口部のそれぞれの配列を有する、絶縁材料で作られている第１および第２の支持要素であって、蓄電池の端部が延在するそれぞれの表面を有する、第１および第２の支持要素と、
それぞれが第１および第２の支持要素の表面に接触して延在する導電材料の第１および第２のシートであって、蓄電池の端部のうちの対応する１つに溶接され、蓄電池との電気接触面を形成する、導電材料の第１および第２のシートと、
管状蓄電池用の組立モジュールのシートのうちの１つと接触して配置される管状蓄電池用の同様の組立モジュールの支持要素の相補固定配列を有する第１および第２の支持要素の固定要素の配列と
を含む、組立モジュールが提供される。
【０００５】
本発明の別の態様によれば、管状蓄電池を組み立てるためのプロセスであって、
直列に結合される組立モジュールにおいて並列の蓄電池群の形状で管状蓄電池を取り付けるステップであって、組立モジュールが、
並列構成の管状蓄電池群の両端部を受け入れ、かつ保持するための開口部のそれぞれの配列を有する、絶縁材料で作られている第１および第２の支持要素であって、蓄電池の端部が延在するそれぞれの表面を有する、第１および第２の支持要素と、
それぞれが第１および第２の支持要素の表面に接触して延在する導電材料の第１および第２のシートであって、蓄電池の端部のうちの対応する１つに溶接され、蓄電池との電気接触面を形成する、導電材料の第１および第２のシートと、
管状蓄電池用の組立モジュールのシートのうちの１つと接触して配置される管状蓄電池用の同様の組立モジュールの支持要素の相補固定配列を有する第１および第２の支持要素の固定要素の配列と
を含む、ステップと、
組立モジュール間の導電材料のシートが互いに接触するように、組立モジュールを直列に配置するステップと、
組立モジュールの固定要素の配列によって組立モジュールを互いに固定するステップと
を含む、プロセスが提供される。
【０００６】
本発明の好ましい実施形態の詳細な説明は、以下の図面を参照して、以下で提供する。
【図面の簡単な説明】
【０００７】
【図１】本発明の実施形態による、並列蓄電池群用の組立モジュールの展開概略図である。
【図２】本発明の実施形態による、直列位置で組み立てられた並列蓄電池群用の２つの組立モジュールを示す概略図である。
【発明を実施するための形態】
【０００８】
好ましい実施形態の詳細な説明
図１を参照すると、本発明の実施形態による、並列蓄電池４群用の組立モジュール２が示されている。モジュール２は、並列構成の蓄電池４群の両端部を受け入れ、かつ保持するための開口部１０のそれぞれの配列を有する、絶縁材料で作られている第１および第２の支持要素６、８を含む。示される実施形態では、蓄電池４は円筒状であり、開口部１０は円状であるが、他の管状形状も可能である。支持要素６、８は、蓄電池４の端部が延在するそれぞれの表面１２を有する。導電材料の第１および第２のシート１４、１６は、それぞれが支持要素６、８の表面１２に接触して延在する。シート１４、１６は、例えば材料を溶かすことによって蓄電池４の端部（端子）のうちの対応する１つに溶接され、蓄電池４との電気接触面を形成する。ナット１８とナット１８に適応させたねじ２２の組などの固定要素の配列は、図２に示されるように、組立モジュール２のシート１４、１６のうちの１つと接触して配置される同様の組立モジュール２の支持要素の相補固定配列によって支持要素６、８を固定することを可能にする。従って、モジュール２は、直列配列で一緒に固定される。示される実施形態では、ナット１８は、シート１４の穴２０と合致するように第１の支持要素６上に取り付けられ、ねじ２２は、シート１６の穴２４を通じて突出し、ナット１８とねじ２２の組は、組立モジュール２と、端部同士をつなげて組み立てられた同様の組立モジュール２のナットとねじの組と連携する。
【０００９】
第１の支持要素６の表面１０は、ナット１８を受け入れ、かつ押し込むための蓄電池４の端部間に分配されたハウジング２６を含み得る。ナット１８が六角形である場合は、ハウジング２６は、六角形の形状を有し得る。第２の支持要素８は、例えば、六角形のキーとしての適切なツール（図示せず）を用いて、対応するナット１８へのそれらのねじ止めを可能にするために、ねじ２２と位置合わせされた穴２８を含み得る。穴２８は、ねじ２２の通過を防ぐショルダ３０を有し得る。
【００１０】
支持要素６、８の表面１２は、蓄電池４の端部間に延在する凹部３２（図では、支持要素６の凹部３２のみが見える）を含み得、その結果、剛性材料で作られているプレート３４は、支持要素６、８と対応するシート１４、１６との間の凹部３２に挿入される。そのようなプレート３４は、特に、機械的剛性の増大を可能にし、それと同時に、シート１４、１６と接触する表面は、導電性の増大を可能にする。
【００１１】
シート１４、１６は、例えば、モジュール２の蓄電池４のためのテストデバイス（図示せず）を接続するために使用される導体（図示せず）を接続するための電気的固定点を提供するために、支持要素６、８の側面に突出するタブ３６を有し得る。
【００１２】
支持要素６、８は、一般に、支持要素６、８における開口部１０の均一かつ対称的な分配および必要に応じて一緒に組み立てられたモジュール２のスタックの並置配列に適応させた長方形の形状を有し得る。示される実施形態では、モジュール２は、５つの蓄電池４を並列に取り付けることを可能にするが、モジュール２は、必要に応じて、９つまたは別の数の蓄電池４を並列に取り付けられるようにすることは容易である。支持要素６、８には、必要に応じて、例えば、電子回路（図示せず）を取り付けるために、モジュール２の一方の側面に突出するブラケット３８を提供することができる。支持要素６、８は、モジュール２の重量を軽くするために、他の凹部４０を有し得る。
【００１３】
図２を参照すると、蓄電池４群が並列に取り付けられた２つのモジュール２の組み立てが示されている。モジュール２は、モジュール２間のシート１４、１６（図では、シート１４のみが見える）が互いに接触するように、直列に配列される。モジュール２は、組立モジュール２の固定要素の配列を形成するナット１８とねじ２２の組（図１に示されるような）によって、互いに固定される。並列の蓄電池４および直列のモジュール２の電気配線抵抗は、モジュール２の構成によって最小化され、従って、バスなどの電気車両で必要とされるように、大多数のモジュール２を組み立てることができる。また、モジュール２の組み立ては、例えば、欠陥を呈する恐れのある蓄電池４群を都合よく交換できるようにする。支持要素６、８間の空間は、蓄電池４の熱膨張を可能にする。また、上記で説明されるモジュール２の構成は、それらの重量の低減にも貢献し、それは、電気車両にとって有利であり得る。
【００１４】
本発明の実施形態は、添付の図面で示し、上記で説明してきたが、当業者であれば、本発明から逸脱することなく、その中で変更を行えることは明らかであろう。
【図１】
2019506714.tif 000003
【図２】
2019506714.tif 000004
【国際調査報告】
2019506714.tif 000005
2019506714.tif 000006
2019506714.tif 000007
2019506714.tif 000008